(57)【要約】【課題】導光通路を有するセードを比較的安価に且つ容易に製造することができる照明装置を提供すること。【解決手段】光源としての蛍光灯１２と、この蛍光灯１２に被せられるセード１１とを有して構成された灯具４が腕部３の先端に設けられた照明装置としての電気スタンド１において、前記セード１１が、間隔を空けて複数の翼状体１６〜１８を上下に重ねることで構成されると共に、前記各翼状体１６〜１８間を導光通路１９〜２２としたことにより、スリット状の前記各導光通路１９〜２２を有するセード１１、ひいては前記電気スタンド１を容易に且つ比較的安価に製造することができる。【選択図】図１
2010056039.tif 000002
【特許請求の範囲】
【請求項１】
腕部と、この腕部の先端に設けられた灯具とを有し、前記灯具が、光源と、この光源に被せられるセードとを有して構成された照明装置において、
前記セードが、間隔を空けて複数の翼状体を重ねることで構成されると共に、前記翼状体間を導光通路としたことを特徴とする照明装置。
【請求項２】
前記セード内に、前記光源から放射された光を前記導光通路に向けて反射する反射板を設けたことを特徴とする請求項１記載の照明装置。
【発明の詳細な説明】
【技術分野】
【０００１】
本発明は、照明装置に関するものであり、特に、机上等で用いられる電気スタンド等の照明装置に関するものである。
【背景技術】
【０００２】
従来、この種の照明装置としては、基部と、この基部の後部に立設された支柱部（本発明の腕部に相当する）と、この支柱部の上部に設けられた屈曲部（本発明の腕部に相当する）と、この屈曲部の先端に設けられた灯具とを有して構成された電気スタンドが知られている（例えば、特許文献１参照。）。そして、前記灯具の前方には、一体に形成されたスリット部（本発明の導光通路に相当する）が設けられている。そして、このように灯具にスリット部を設けることで、光源から放射される光の少なくとも一部に方向性を持たせることができる。
【特許文献１】特開２００６−１２０５８１号公報号公報
【発明の開示】
【発明が解決しようとする課題】
【０００３】
しかしながら、このような照明装置においては、複数の間隙を有するスリット部を一体形成しているため、このスリット部を形成するための金型が複雑になってしまい、コストアップを招く虞があった。また、前記スリット部の導光通路が直線的である場合は比較的製造しやすいものの、導光通路がカーブしている場合、金型を抜くことを考慮すると、製造が比較的難しかった。
【０００４】
本発明は以上の問題点を解決し、導光通路を有するセードを比較的安価に且つ容易に製造することができる照明装置を提供することを目的とする。
【課題を解決するための手段】
【０００５】
本発明の請求項１に記載の照明装置は、腕部と、この腕部の先端に設けられた灯具とを有し、前記灯具が、光源と、この光源に被せられるセードとを有して構成された照明装置において、前記セードが、間隔を空けて複数の翼状体を重ねることで構成されると共に、前記翼状体間を導光通路としたものである。
【０００６】
また、本発明の請求項２に記載の照明装置は、請求項１において、前記セード内に、前記光源から放射された光を前記導光通路に向けて反射する反射板を設けたものである。
【発明の効果】
【０００７】
本発明の請求項１に記載の照明装置は、以上のように構成することにより、スリット状の導光通路を有するセードを容易に且つ比較的安価に製造することができる。
【０００８】
また、前記セード内に、前記光源から放射された光を前記導光通路に向けて反射する反射板を設けたことにより、光源から放射された光を直接導光通路に導かなくても良いので、灯具の構造の自由度を高めることができる。
【発明を実施するための最良の形態】
【０００９】
以下、本発明の実施形態について、図１乃至図４に基づいて説明する。１は照明装置としての電気スタンドである。この電気スタンド１は、板状の基部２と、腕部３と、この腕部３の先端に設けられた灯具４とを有して構成されている。なお、前記腕部３は、前記基部２の後部に立設された支柱部５と、この支柱部５の上部に設けられた屈曲部６と、この屈曲部６の先端に設けられた首部７とを有して構成されている。そして、前記支柱部５には、後述する蛍光灯１２を点灯させるための図示しない点灯回路が収容されている。また、前記支柱部５には、孔部８が前後方向に貫通して形成されていると共に、この孔部８の内周面８Ａには、前記点灯回路のためのスイッチである環状のタッチセンサ９が設けられている。なお、前記孔部８は、その中央よりも前方の開口部８Ｂ側が広くなるように構成されている。ここで言う「前方」の定義は、前記電気スタンド１の正面側であるが、使用時に使用者と対向する側と定義しても良い。また、前記タッチセンサ９は、合成樹脂製の環状部材の表面に金属メッキを施して構成されている。更に、前記屈曲部６は、蛇腹体１０の内部に図示しないフレキシブルシャフトを内蔵して構成されている。そして、このフレキシブルシャフトが自在に屈曲することで、前記屈曲部６は自在に屈曲する。
【００１０】
前記灯具４は、下方が開放したセード１１と、このセード１１に設けられた図示しないソケットに対して着脱自在に取り付けられる光源としての蛍光灯１２とを有して構成されている。なお、前記蛍光灯１２としては、例えばＦＰＬ型の蛍光灯等が用いられる。前記セード１１は、下方が開放したセード本体１３と、前記ソケットを収容する収容部１４とで構成されている。そして、前記収容部１４は、前記首部７に対して回動自在に取り付けられている。また、前記セード本体１３には、反射板１５が取り付けられていると共に、この反射板１５の下方に、前記蛍光灯１２が配置される。
【００１１】
前記セード１１について詳述する。このセード１１は、第一の翼状体１６と、第二の翼状体１７と、第三の翼状体１８とを上下に重ねてビス等で固定することによって構成されている。なお、前記第二の翼状体１７と第三の翼状体１８には、それぞれ上下方向に貫通して開口部１７Ａ，１８Ａが形成されている。また、前記各翼状体１６〜１８を重ねることで、前記セード本体１３には、図１乃至図３の姿勢において、前記セード本体１３の前後にスリット状の間隙が複数形成され、これらの間隙が導光通路１９〜２２となる。なお、これらの導光通路１９〜２２は、外側（本実施形態では前後）の斜め下方を向いて形成されている。また、前記各翼状体１６〜１８を重ねることで、前記開口部１７Ａ，１８Ａによって定義される空間Ｓが前記第一の翼状体１６の下方に形成され、この空間Ｓに前記蛍光灯１２及び反射板１５が収容されると共に、前記各導光通路１９〜２２が、前記蛍光灯１２が収容される前記空間Ｓと連通する。更に、前記反射板１５は、前記蛍光灯１２から上方に放射された光を外側（本実施形態では前後）の斜め下方に反射するように、下方に突出した形状に形成されている。
【００１２】
そして、前述したように、前記セード１１を、前記各翼状体１６〜１８を上下に重ねてビス等で固定することで構成することにより、部品点数は増えるものの、前記各翼状体１６〜１８の構造を単純化できるため、これらを成型するための金型も比較的容易に且つ安価に製造することができる。特に、本実施形態では、図３に示すように、前記各翼状体１６〜１８が上に凸となる曲面状に形成されているため、前記各導光通路１９〜２２もカーブしているが、このような構造であっても、前記各翼状体１６〜１８を個別に成型することで、容易に製造することができる。更に、前記各翼状体１６〜１８の色をそれぞれ異ならせることで、美観的な効果を与えることもできる。
【００１３】
次に、本実施形態の作用について説明する。まず、使用者は前記電気スタンド１を机上等の任意の位置に置き、図示しない電源プラグを図示しないコンセントに差し込む。そして、前記開口部８Ｂ側から前記孔部８内に任意の指を挿入し、前記タッチセンサ９に触れることで、図示しない点灯回路によって、前記蛍光灯１２が点灯又は消灯する。この蛍光灯１２を点灯させると、この蛍光灯１２から放射された光によって、机上等が照らされる。具体的には、前記蛍光灯１２から下方に放射された光によって、机上等が直接照らされると共に、前記蛍光灯１２から上方に放射された光が前記反射板１５で下方又は外側斜め下方に反射されて机上等が照らされる。そして、前記蛍光灯１２から上方に放射された光は、前記反射板１５によって外側斜め下方に反射された後、前記各導光通路１９〜２２を通過する。そして、前述したように、前記蛍光灯１２から上方に放射された光を、前記反射板１５によって外側斜め下方に反射された後、前記各導光通路１９〜２２を通過させるように構成されていることで、前記蛍光灯１２と前記各導光通路１９〜２２が直線的に配列される必要がないので、前記セード１１の構造の自由度を高めることができる。
【００１４】
以上のように本発明は、光源としての蛍光灯１２と、この蛍光灯１２に被せられるセード１１とを有して構成された灯具４が腕部３の先端に設けられた照明装置としての電気スタンド１において、前記セード１１が、間隔を空けて複数の翼状体１６〜１８を上下に重ねることで構成されると共に、前記各翼状体１６〜１８間を導光通路１９〜２２としたことにより、スリット状の前記各導光通路１９〜２２を有するセード１１、ひいては前記電気スタンド１を容易に且つ比較的安価に製造することができるものである。
【００１５】
また、本発明は、前記セード１１内に、前記蛍光灯１２から放射された光を前記各導光通路１９〜２２に向けて反射する反射板１５を設けたことにより、前記蛍光灯１２から放射された光を直接前記各導光通路１９〜２２に導かなくても良いので、前記灯具４の構造の自由度を高めることができるものである。
【００１６】
なお、本発明は以上の実施形態に限定されるものではなく、発明の要旨の範囲内で種々の変形実施が可能である。例えば、上記実施形態では、セードを構成する翼状体の数が３であるが、翼状体の数を２或いは４以上としても良い。また、上記実施形態では、前記セードの前後にそれぞれ導光通路を形成したが、この導光通路は、前記セードの前のみ又は後のみでも良く、また、前記セードの前後以外の部分に設けても良い。
【図面の簡単な説明】
【００１７】
【図１】本発明の一実施例を示す照明装置の正面図である。
【図２】同、右側面図である。
【図３】同、Ａ−Ａ拡大断面図である。
【図４】同、セードの分解斜視図である。
【符号の説明】
【００１８】
１  電気スタンド（照明装置）
３  腕部
４  灯具
１１  セード
１２  蛍光灯（光源）
１３  セード本体
１５  反射板
１６  第一の翼状体
１７  第二の翼状体
１８  第三の翼状体
１９〜２２  導光通路
【図１】
2010056039.tif 000003
【図２】
2010056039.tif 000004
【図３】
2010056039.tif 000005
【図４】
2010056039.tif 000006